(57)【要約】      （修正有）【課題】魚、アオリイカ等のあたり、引き具合が判断できるようにし、また、暗い時でもスプールの回転が見やすくなるする。【解決手段】スプール１に発光ダイオード又は豆球２を取付け、スプールの回転に応じて点滅するようにした。【選択図】図１
2004267189.tif 000002
【特許請求の範囲】
【請求項１】
釣糸が巻き回されるスプールと回転枠アーム部と本体とを含む魚釣用リールにおいて、スプール部に、発光部と、スイッチ部と、電源部とを設け、回転枠アーム部に磁石を設け、スプールが回転した時に、回転枠アーム部に設けた永久磁石の磁力により、スイッチを動作させて、発光部を点滅させることを特徴とする魚釣用リール。
【請求項２】
前記スプール部の発光部を発光ダイオード又は豆球とし、電源を電池とし、スイッチを磁気スイッチとした請求項１記載の魚釣用リール。
【請求項３】
前記回転枠及びアーム部の磁石を永久磁石とした請求項１記載の魚釣用リール。
【発明の詳細な説明】
【０００１】
【発明に属する技術分野】本発明は、魚釣用リールのスプール部に発光部と電源部とスイッチ部を設け、回転枠のアーム部には磁石を取付け、スプールが回転した時に磁力により、磁気スイッチを作動させ、回転の速さに応じて発光部を点滅し、夜間及び暗い時や、リールから離れている時に、スプールの回転が良く見える魚釣用リールになっている。
【０００２】
【従来の技術】シーバス、大物魚、アオリイカ等の釣の場合、あたりがあり、引いた時にはドラグをゆるめスプールが回転するようにセットして、あたりを待つ釣り方をする。従来の技術は夜間用リールとして、化学発光体をスプールの前部にはめ込むタイプはあるが、リール前部からは発光体が良く見えるが、リール側面や後方からは見えない。まして、リールから離れると全く見えない。あたりがありスプールが回転した時、ドラグ音で魚やアオリイカのあたりを判断するので、風の音などでスプールの回転音も聞こえない時や、寒い時期は竿から離れて車の中であたりを待っている時などは、スプールの回転音も聞こえず、発光体タイプでは回転している事も見えない状況である。
【０００３】
【発明が解決しようとする課題】今まではリールの後方や側面、離れた場所からスプールの回転がよく見えなかった為、魚、アオリイカ等のあたり、引き具合が判断出来なかった。本発明は夜間及び夕方や夜明け前の暗い時や、竿から離れているときに、あたりがあり、引いた時は、糸が引き出されるのでスプールが回転しながら発光ダイオード又は豆球が点滅するので、点滅の速さであたりや引き具合が判断できるような、スプールの回転がよく見え、判るリールを提供する。
【０００４】
【課題を解決するための手段】前記課題を解決するために、本発明はスプールと回転枠と本体とを含む魚釣用リールにおいて、スプール部に発光ダイオード又は豆球を用いた発光部と、スイッチで発光部を点滅させるための磁気スイッチと、電池を用いた電源とを設ける。回転枠アーム部には永久磁石を設け、スプールが回転した時に、アーム部に設けた磁石の磁力により磁気スイッチを動作させて発光部を点滅させる事を特徴とする。
【０００５】
【発明の実施の形態】以下、図面を参照しつつ本発明の実施形態を説明する。本発明の実施リールはシマノナビ３０００Ｌにて実施した。リールメーカーごとに部品名、構造が違うが、新製品を開発する際に設計段階で各部品の取付けを考慮しレイアウトすれば、他の電池も使える。次に実施例を説明する。
【０００６】
【実施例】発光ダイオード又は豆球の取付けは、ダイオードは３ボルト用で直径３ミリを使う。豆球は模型用の３ボルト用で直径３ミリを使う。本発明の実施は発光ダイオードの取付けを説明する。図面１のスプール１、２のように３ミリの穴をあけ瞬間接着剤で貼りつける。外側に出しすぎるとリール本体に取付けて回転するとアーム部と接触するので注意を要する。配線については、プラス線は中間に抵抗をいれて、リードスイッチの片側に半田付けする。マイナス線は電池を差込穴に差込む。但しプラス、マイナス線とも寸法を合わせ長い部分は切ってしまう。
【０００７】リードスイッチ取付けは、図１のスプール２の位置に貼る前に、線を配線レイアウトに合わせ曲げておく。リードスイッチ部はガラス管なので曲げる両端をノズルプライヤーでつかんで、ガラス管に力がかからないように曲げる。その後スプール裏側に瞬間接着剤で貼りつける。配線はダイオードのプラス線と半田付けする。片方はプラスプレートに半田付けする。作業の中で半田付けの際はダイオード、リードスイッチに熱が伝わらないようにノズルプライヤー等でつまみ熱を逃がすようにした方が良い。尚、スプールの内側にリードスイッチを取付けても、磁力の強い磁石なので十分に作動はする。
【０００８】プラスプレートは図１の下面図の位置に厚さ１ｍｍのステンレス板を５ｍｍ×６ｍｍの寸法に切り瞬間接着剤で貼り付ける。今回実施したスプールは貼り付ける部分がプラスチックなのでショートはしない。尚、他メーカーのスプールはこの部分が金属なのでショートするので絶縁が必要である。
【０００９】回転枠アーム部に永久磁石の取付けは図２の正面図ように、アームの長い方に６ミリの穴をあける。片方のアームは構造上６ミリの穴をあけるスペースがないので、本実施は３ミリの穴を２ヵ所にあける。３ミリの磁石を２ヶ所に取付けるのは、６ミリより磁力が弱い為、２個取付ければリードスイッチの作動が良好である。次に各穴に磁石を入れ、スプールを組み付ける。ハンドルを回しながらスプールが前後に動く間、スプールの発光ダイオードと磁石が擦れたところから１ｍｍの隙間をあけた位置で磁石を瞬間接着剤で接着固定する。尚、棒磁石は磁力の強いネオジ磁石が良い。
【００１０】電池の取付けは、図１の下面図の位置に裏側から４ミリの穴をあけて電池を抽入する。電池のプラス極は図４のように９０度ほど曲げてプラスプレートに接触するまで押し込む。尚、リールを使用しない時は電池を抜く。
【００１１】配線のシールは各部品を取付ける前に、配線のレイアウトをしてから、寸法通りに切ってビニールパイプに通し各端はシールする方法又は、エポキシ接着剤で配線、リードスイッチ、ダイオード等をシールする方法でも良い。
【００１２】
【発明の効果】本発明の魚釣用リールをテストした結果、夜間及び夕方、夜明け前の暗い時、５０メーター離れた車の中からスプールに取付けた発光ダイオードが、点滅し回転しているのが良く確認できた。
【図面の簡単な説明】
【図１】スプール部を示した正面図、側面図、下面図である。
【図２】回転枠アーム部を示した正面図、平面図である。
【図３】リードスイッチの正面図である。
【図４】電池の正面図である。
【符号の説明】
１、  スプール本体
２、  ダイオード又は豆球
３、  リードスイッチ
４、  永久磁石
５、  電池
６、  プラスプレート
７、  配線
８、  回転枠アーム部
９、  抵抗
【図１】
2004267189.tif 000003
【図２】
2004267189.tif 000004
【図３】
2004267189.tif 000005
【図４】
2004267189.tif 000006
【手続補正書】
【提出日】平成15年11月13日(2003.11.13)
【手続補正１】
【補正対象書類名】明細書
【補正対象項目名】全文
【補正方法】変更
【補正の内容】
【特許請求の範囲】
【請求項１】釣糸が巻き回されるスプールと回転枠アーム部と本体とを含む魚釣用リールにおいて、スプール部に、発光部と、スイッチ部と、電源部を設け、回転枠アーム部に磁石を設け、スプール又は回転枠アーム部が回転した時に、スイッチを動作させて、発光部を点滅させることを特徴とする魚釣用リール。
【請求項２】前記、スプール部の発光部を発光ダイオード又は豆球とし、電源を電池とし、スイッチを磁気スイッチとした請求項１記載の魚釣用リール。
【請求項３】前記、回転枠及びアーム部の磁石を永久磁石とした請求項１記載の魚釣用リール。
【請求項４】スプール又は回転枠アーム部が回転した時、発光部が点滅することを特徴とする魚釣用リール。
【発明の詳細な説明】
【０００１】
【発明に属する技術分野】
本発明は、魚釣用リールのスプール部に発光部と電源部とスイッチ部を設け、回転枠のアーム部には磁石を取付け、スプールが回転した時に磁力により、磁気スイッチを作動させ、回転の速さに応じて発光部を点滅し、夜間及び暗い時や、リールから離れている時に、スプールの回転が良く見える魚釣用リールになっている。
【０００２】
【背景技術】
大物魚、アオリイカ等の釣の場合、あたりがあり、引いた時にはドラグを緩めているので、糸が引き出されスプールが回転するようにセットして、あたりを待つ釣り方をする。従来の技術は夜間用リールとして、化学発光体をスプールの前部にはめ込むタイプはあるが、リールの前からは発光体が良く見えるが、側面や後方からは見えない。特にリールから離れると全く見えない。あたりがあり糸が引き出されスプールが回転した時、ドラグ音で魚やアオリイカのあたりを判断するので、風の音などでスプールの回転音が聞こえない時や、寒い時期は竿から離れて車の中であたりを待っている時などは、スプールの回転音も聞こえず、発光体タイプでは回転している事も見えない状況である。
【０００３】
【発明が解決しようとする課題】
今まではリールの後方や側面、離れた場所からスプールの回転がよく見えなかった為、魚、アオリイカ等のあたり、引き具合が判断出来なかった。本発明は夜間及び夕方や夜明け前の暗い時や、竿から離れているときに、あたりがあり、引いた時は、糸が引き出されるのでスプールが回転しながら発光ダイオード又は豆球が点滅するので、点滅の速さであたりや引き具合が判断できるような、スプールの回転がよく見え、判るリールを提供する。
【０００４】
【課題を解決するための手段】
前記課題を解決するために、本発明はスプールと回転枠と本体とを含む魚釣用リールにおいて、スプール部に発光ダイオード又は豆球を用いた発光部と、スイッチで発光部を点滅させるための磁気スイッチと、電池を用いた電源とを設ける。回転枠アーム部には永久磁石を設け、スプールが回転した時に、アーム部に設けた磁石の磁力により磁気スイッチを動作させて発光部を点滅させる事を特徴とする。
【０００５】
【発明を実施するための最良の形態】
以下、図面を参照しつつ本発明の実施形態を説明する。本発明は市販のリールを改造した。実施リールはシマノナビ３０００Ｌにて実施した。電池は電気浮き用を使用した。リールはメーカーごとに部品名、構造が違うので、本発明の符号の説明名で実施説明をする。尚、新製品を開発する際には設計段階で各部品の形状や材質、取付け方法、電池の種類や形状、スイッチの種類、シールや接着方法等々は色々と考えられる。特に大型リールは取付けが有利である。尚、本発明の磁気スイッチを使った理由は、糸を巻く時にはスプールが前後するのでスイッチとしての接点が設け難い為、また耐久性、腐食等々を考慮し、磁気スイッチとした。次に実施例を説明する。
【０００６】
【実施例】
発光ダイオード又は豆球の取付けは、ダイオードは３ボルト用で直径３ミリを使う。豆球は模型用の３ボルト用で直径３ミリを使う。本発明の実施は発光ダイオードにて実施した。次に取付けを説明する。図面１のスプール１、２のように３ミリの穴をあけ接着剤で貼りつける。外側に出しすぎるとリール本体に取付けて回転するとアーム部と接触するので注意を要する。ダイオードの配線については、マイナス線はリードスイッチの片側に半田付けする。プラス線はダイオードの保護と電池の寿命のために、中間に抵抗を入れて電池を差込穴に差込む。抵抗を入れてダイオードが暗い場合は、抵抗を入れない方が明るいので入れなくても良い。
【０００７】
リードスイッチ取付けは、図１のスプール２の位置に貼る前に、線を配線レイアウトに合わせ曲げておく。リードスイッチ部はガラス管なので曲げる両端をノズルプライヤーでつかんで、ガラス管に力がかからないように曲げる。その後スプール裏側に接着剤で貼りつける。配線は図１のスプール２、３のマイナスプレートに半田付けする。作業の中で半田付けの際はダイオード、抵抗、リードスイッチに熱が伝わらないようにノズルプライヤー等でつまみ熱を逃がすようにした方が良い。尚、スプールの内側にリードスイッチを取付けても、磁力の強い磁石なので十分に作動はする。
【０００８】
マイナスプレートは図１の下面図の位置に厚さ０．５ｍｍ〜１ｍｍのステンレス板を５ｍｍ×６ｍｍの寸法に切り接着剤で貼り付ける。なぜマイナスプレートが必要なのかは、今回実施したスプールは電池を差し込む部分やプレートを貼り付ける部分が樹脂なので、通電しない為、電池のマイナス極とプレートを電源スイッチとした。電池を押し込むと通電する。尚、他メーカーのスプールはこの部分が金属なのでショートするので絶縁が必要である。
【０００９】
回転枠アーム部に永久磁石の取付けは図２の正面図ように、アームの長い方に６ミリの穴をあける。片方のアームは構造上６ミリの穴をあけるスペースがないので、本実施は３ミリの穴を２ヵ所にあける。３ミリの磁石を２ヶ所に取付けるのは、市販のリールを改造した為、６ミリの磁石を取付けるスペースがなく、３ミリの磁石を２個取付ければリードスイッチの作動が良好である。次に各穴に磁石を入れ、スプールを組み付ける。ハンドルを回しながらスプールが前後に動く間、スプールに取付けた発光ダイオードと磁石が擦れたところから１ｍｍの隙間をあけた位置で磁石を接着剤で接着固定する。尚、棒磁石は磁力の強いネオジ磁石が良い。
【００１０】
電池の取付けは、図１の下面図の位置に裏側から４ミリの穴をあけて電池を抽入する。電池のマイナス極は図４のように９０度ほど曲げてマイナスプレートに接触するまで押し込み電源スイッチとする。尚、リールを使用しない時は電池を抜く。
【００１１】
配線のシールは各部品を取付ける前に、配線のレイアウトをしてから、寸法通りに切ってビニールパイプに通し各端はシールする方法又は、エポキシ接着剤やシリコン接着剤等で配線、リードスイッチ、ダイオード等をシールする方法でも良い。
【００１２】
【発明の効果】
本発明の魚釣用リールをテストした結果、夜間及び夕方、夜明け前の暗い時、離れた場所や車の中からスプールに取付けた発光ダイオードが点滅しスプールが回転しているのが良く確認できた。
【図面の簡単な説明】
【図１】スプール部を示した正面図、側面図、下面図である。
【図２】回転枠アーム部を示した正面図、平面図である。
【図３】リードスイッチの正面図である。
【図４】電池の正面図である。
【符号の説明】
１、  スプール本体
２、  ダイオード又は豆球
３、  リードスイッチ
４．  永久磁石
５、  電池
６、  マイナスプレート
７、  配線
８、  回転枠アーム部
９、  抵抗


【手続補正２】
【補正対象書類名】図面
【補正対象項目名】全図
【補正方法】変更
【補正の内容】
【図１】
2004267189.tif 000007
【図２】
2004267189.tif 000008
【図３】
2004267189.tif 000009
【図４】
2004267189.tif 000010